(57)【要約】【課題】小型化された電子機器を提供する。【解決手段】一つの実施形態に係る電子機器は、筐体と、デバイス取付部と、ポインティングデバイスと、取付部材と、操作部と、を具備する。前記筐体は、外部に露出する外面と、前記外面の反対方向に位置した内面とを有し、前記外面から前記内面に亘る開口部が設けられる。前記デバイス取付部は、前記筐体に前記開口部と並んで設けられる。前記ポインティングデバイスは、前記内面の方向から前記デバイス取付部に取り付けられる。前記取付部材は、前記内面の方向から前記筐体に取り外し可能に固定されるとともに、前記内面の方向から前記ポインティングデバイスの一部を覆う。前記操作部は、前記取付部材に支持されて前記開口部から露出される。【選択図】    図５
2011238295.tif 000002
【特許請求の範囲】
【請求項１】
外部に露出する外面と、前記外面の反対方向に位置した内面とを有し、前記外面から前記内面に亘る開口部が設けられた筐体と、
前記筐体に前記開口部と並んで設けられたデバイス取付部と、
前記内面の方向から前記デバイス取付部に取り付けられたポインティングデバイスと、
前記内面の方向から前記筐体に取り外し可能に固定されるとともに、前記内面の方向から前記ポインティングデバイスの一部を覆った取付部材と、
前記取付部材に支持され前記開口部から露出された操作部と、
を具備したことを特徴とする電子機器。
【請求項２】
前記操作部を含むボタン部材をさらに具備し、
前記ボタン部材は、前記ポインティングデバイスと重なる位置で前記取付部材に取り付けられたことを特徴とする請求項１に記載の電子機器。
【請求項３】
前記取付部材は、金属によって形成されたことを特徴とする請求項２に記載の電子機器。
【請求項４】
前記取付部材に固定された緩衝材をさらに具備し、
前記ボタン部材は、前記取付部材の一部と重なり合うとともに前記取付部材との間に前記緩衝材を挟んだ可撓性を有する支持部を有したことを特徴とする請求項２に記載の電子機器。
【請求項５】
前記取付部材は、前記ポインティングデバイスと対向した第１の面と、前記第１の面の反対方向に位置した第２の面と、前記第２の面から突出した補強部と、を有するとともに、前記デバイス取付部の一方の端部から他方の端部に亘って前記デバイス取付部の一部を覆うように延び、
前記補強部は、前記取付部材が延びた方向に向かって延びたことを特徴とする請求項２に記載の電子機器。
【請求項６】
前記取付部材に、挿通孔と、第１の誤装着防止部とが設けられ、
前記ボタン部材に、前記挿通孔に挿入される突出部と、第２の誤装着防止部とが設けられ、
前記第１の誤装着防止部は、前記突出部が前記第２の面の方向から前記挿通孔に挿入された場合にのみ前記第２の誤装着防止部と嵌り合うことを特徴とする請求項５に記載の電子機器。
【請求項７】
開口部が設けられた筐体と、
前記筐体に取り付けられる部品に重ねられるように、前記筐体内面の方向から前記筐体に取り付けられた取付部材と、
前記取付部材に支持され前記開口部から露出された操作部と、
を具備した電子機器。
【請求項８】
前記操作部を含むボタン部材をさらに具備し、
前記ボタン部材は、前記取付部材に固定された基部と、前記操作部と前記基部との間に亘る支持部と、を有したことを特徴とする請求項７に記載の電子機器。
【請求項９】
前記部品は、前記筐体内面の方向から前記筐体に取り付けられ、前記筐体と前記取付部材との間に挟まれたことを特徴とする請求項７に記載の電子機器。
【請求項１０】
前記部品は、前記筐体外面の方向から前記筐体に取り付けられたことを特徴とする請求項７に記載の電子機器。
【請求項１１】
開口部が設けられた筐体と、
前記筐体に取り付けられた部品と、
前記部品に重なった位置で前記筐体に取り付けられた第１の部分と、前記第１の部分から延びて前記開口部から露出した第２の部分と、を有した操作部と、
を具備した電子機器。
【発明の詳細な説明】
【技術分野】
【０００１】
本発明の実施形態は、電子機器に関する。
【背景技術】
【０００２】
例えばポータブルコンピュータのような電子機器は、ポインティングデバイスとしてタッチパッドを備えていることがある。タッチパッドの近傍に、クリック操作のための外部入力ボタンが設けられる。
【０００３】
一般的にタッチパッドおよび外部入力ボタンは、キーボードよりも手前側に位置するパームレストに設けられる。外部入力ボタンは、タッチパッドよりも手前側に配置される。言い換えると、外部入力ボタンは、ポータブルコンピュータの筐体の前端部近傍に配置される。
【０００４】
外部入力ボタンは、筐体に固定される基部と、可撓性を有する支持部と、ユーザに押される操作部とを有する。支持部は、基部と操作部とを連結する。操作部は、筐体に設けられた開口部に嵌り込むことで外部に露出する。基部は、開口部の近傍において、例えば溶着によって筐体に固定される。
【先行技術文献】
【特許文献】
【０００５】
【特許文献１】特開２００９−１１７３７７号公報
【発明の概要】
【発明が解決しようとする課題】
【０００６】
ポータブルコンピュータのような携行される電子機器は、小型化および薄型化が求められる。しかし、筐体に外部入力ボタンの基部を固定するスペースを設けることで、電子機器の小型化が妨げられる場合がある。
【０００７】
本発明の目的は、小型化された電子機器を提供することにある。
【課題を解決するための手段】
【０００８】
一つの実施形態に係る電子機器は、筐体と、デバイス取付部と、ポインティングデバイスと、取付部材と、操作部と、を具備する。前記筐体は、外部に露出する外面と、前記外面の反対方向に位置した内面とを有し、前記外面から前記内面に亘る開口部が設けられる。前記デバイス取付部は、前記筐体に前記開口部と並んで設けられる。前記ポインティングデバイスは、前記内面の方向から前記デバイス取付部に取り付けられる。前記取付部材は、前記内面の方向から前記筐体に取り外し可能に固定されるとともに、前記内面の方向から前記ポインティングデバイスの一部を覆う。前記操作部は、前記取付部材に支持されて前記開口部から露出される。
【図面の簡単な説明】
【０００９】
【図１】本発明の第１の実施の形態に係るポータブルコンピュータを示す斜視図。
【図２】第１の実施形態のポータブルコンピュータの一部を拡大して示す平面図。
【図３】第１の実施形態のポータブルコンピュータの一部を筐体の内側から示す斜視図。
【図４】第１の実施形態のポータブルコンピュータの一部を図２のＦ４−Ｆ４線に沿って示す断面図。
【図５】図３からデバイス支持部材とタッチパッドデバイスとを除いて示す斜視図。
【図６】第１の実施形態のボタンユニットを示す斜視図。
【図７】第１の実施形態のボタンユニットを下方向から示す斜視図。
【図８】本発明の第２の実施の形態に係るポータブルコンピュータの一部を示す断面図。
【図９】本発明の第３の実施の形態に係るポータブルコンピュータの一部を拡大して示す平面図
【図１０】第３の実施形態のポータブルコンピュータの一部を筐体の内側から示す斜視図。
【発明を実施するための形態】
【００１０】
以下に、本発明の第１の実施の形態について、図１から図７を参照して説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１１】
図１は、ポータブルコンピュータ１を示す斜視図である。ポータブルコンピュータ１は、電子機器の一例である。図１に示すように、ポータブルコンピュータ１は、メインユニット３と、ディスプレイユニット４とを備えている。
【００１２】
メインユニット３は、偏平な箱状の筐体１０を備えている。筐体１０は、上部カバー１１と、下部カバー１２とを有している。上部カバー１１は、下部カバー１２を覆うように下部カバー１２に取り付けられている。
【００１３】
上部カバー１１の外面１１ａに、キーボード取付部１４と、パームレスト１５と、凹面１６と、開口部１７とが設けられている。外面１１ａは、筐体の外面の一例であり、外部に露出している。キーボード取付部１４にキーボード１８が支持されている。図１において、キーボード１８はその一部のみ示されている。
【００１４】
パームレスト１５は、キーボード取付部１４よりも前方向に設けられている。凹面１６および開口部１７は、パームレスト１５のほぼ中央に並んで設けられている。凹面１６は、パームレスト１５から窪んで設けられている。凹面１６には、シート１９が貼り付けられている。シート１９の表面は滑りやすくなっている。
【００１５】
図２は、ポータブルコンピュータ１の開口部１７の近辺を拡大して示す平面図である。図２に示すように、開口部１７から、ボタン部材２１と、指紋読取部２２とが露出している。ボタン部材２１は、クリック操作に用いられる。指紋読取部２２は、例えば光学センサであり、指紋認証に用いられる。
【００１６】
図１に示すように、ディスプレイユニット４は、メインユニット３の後端に一対のヒンジ部２４を介して連結されている。ディスプレイユニット４は、ヒンジ部２４を支点として、閉じ位置と開き位置との間で回動する。閉じ位置において、ディスプレイユニット４は、メインユニット３の上に横たわる。開き位置において、ディスプレイユニット４は、メインユニット３の後端から起立する。
【００１７】
ディスプレイユニット４は、偏平な箱状のディスプレイ筐体２７と、ディスプレイモジュール２８とを備えている。ディスプレイモジュール２８は、例えば液晶ディスプレイであり、ディスプレイ筐体２７に収容されている。
【００１８】
ディスプレイ筐体２７の前面にディスプレイ開口部２７ａが設けられている。ディスプレイ開口部２７ａは、ディスプレイモジュール２８のスクリーン２８ａをディスプレイユニット４の外に露出させる。
【００１９】
図３は、筐体１０の内側から凹面１６の近辺を示す斜視図である。図４は、図２のＦ４−Ｆ４線に沿ってメインユニット３の一部を示す断面図である。図３に示すように、上部カバー１１の内面１１ｂにデバイス支持部材３１が取り付けられている。
【００２０】
上部カバー１１の内面１１ｂは、筐体の内面の一例であり、外面１１ａの反対方向に位置している。図４に示すように、開口部１７は、上部カバー１１の外面１１ａから内面１１ｂに亘って設けられている。
【００２１】
デバイス支持部材３１は、タッチパッドデバイス３２を支持している。タッチパッドデバイス３２は、ポインティングデバイスの一例である。タッチパッドデバイス３２は、例えば静電センサを備えており、シート１９上の指の動きを感知する。タッチパッドデバイス３２は、シート１９上を動くユーザの指によって操作される。
【００２２】
図５は、図３からデバイス支持部材３１およびタッチパッドデバイス３２を除いて示す斜視図である。図５に示すように、上部カバー１１にデバイス取付部３５が設けられている。デバイス取付部３５は、開口部１７と並んで設けられる。
【００２３】
デバイス取付部３５は、筐体１０の内側に面する平坦な貼付面３６を有している。デバイス取付部３５は、凹面１６と貼付面３６とを含む上部カバー１１の一部である。
【００２４】
タッチパッドデバイス３２は、内面１１ｂの方向からデバイス取付部３５の貼付面３６に取り付けられる。タッチパッドデバイス３２は、例えば両面テープによって貼付面３６に貼り付けられる。
【００２５】
上部カバー１１に、ボタン部材２１を含むボタンユニット４０が取り付けられている。図６は、ボタンユニット４０を示す斜視図である。図７は、ボタンユニット４０を下方向から示す斜視図である。ボタンユニット４０は、ボタン部材２１と、取付部材４１とを備えている。
【００２６】
図５に示すように、取付部材４１は、内面１１ｂの方向から上部カバー１１に取り外し可能に固定される。内面１１ｂに、デバイス取付部３５と隣り合う一対のボス４３が設けられている。一対のボス４３は、デバイス取付部３５の左方向と右方向とにそれぞれ配置されている。取付部材４１は、例えば一対のねじ４４によって、ボス４３にねじ止めされる。
【００２７】
図４に示すように、取付部材４１が上部カバー１１に固定されることにより、取付部材４１は、内面１１ｂの方向からタッチパッドデバイス３２の一部を覆う。言い換えると、取付部材４１は、デバイス取付部３５の一部を覆うとともに、タッチパッドデバイス３２に重ねられて上部カバー１１に固定される。
【００２８】
図５に示すように、取付部材４１は、デバイス取付部３５の一方の端部３５ａから他方の端部３５ｂに亘ってデバイス取付部３５の一部を覆うように延びている。図４に示すように、取付部材４１が上部カバー１１に固定されると、タッチパッドデバイス３２は、デバイス取付部３５と取付部材４１との間に挟まれる。
【００２９】
取付部材４１は、金属材料によって形成された板材である。取付部材４１は、第１の面４６と、第２の面４７と、補強部４８とを有している。第１の面４６は、タッチパッドデバイス３２と対向する。第２の面４７は、第１の面４６の反対方向に位置している。
【００３０】
さらに図６に示すように、取付部材４１は、第１の縁部４９と、第２の縁部５０とを有している。取付部材４１に、複数の挿通孔５１（図４に示す）と、凹部５２とが設けられている。凹部５２は、第１の誤装着防止部の一例である。第２の縁部５０は、第１の縁部４９の反対方向に位置している。
【００３１】
補強部４８は、第２の面４７から突出している。補強部４８は、取付部材４１の第１の縁部４９に沿って、取付部材４１が延びた方向に向かって延びている。複数の挿通孔５１は、それぞれ取付部材４１の第２の縁部５０に沿って並んでいる。
【００３２】
凹部５２は、第２の縁部５０から取付部材４１の内側に入り込むように設けられている。凹部５２は、取付部材４１が延びた方向において、取付部材４１の中央からずれた位置に配置される。
【００３３】
図７に示すように、ボタン部材２１は、取付部材４１に取り付けられている。ボタン部材２１は、基部５５と、複数の支持部５６と、一対の操作部５７と、センサカバー５８とを有している。図６に示すように、ボタン部材２１に、複数の突出部６１と、リブ６２とが設けられている。リブ６２は、第２の誤装着防止部の一例である。
【００３４】
図４に示すように、基部５５は、タッチパッドデバイス３２と重なる位置で取付部材４１に固定されている。基部５５は、取付部材４１の第２の縁部５０に沿って配置される。基部５５から突出した突出部６１は、取付部材４１の挿通孔５１に挿入される。挿通孔５１に挿入された突出部６１が溶かされることで、基部５５が取付部材４１に固定される。
【００３５】
支持部５６は、基部５５から開口部１７に向かって延びている。図７に示すように、支持部５６は、取付部材４１の一部と重なり合う。支持部５６は可撓性を有しており、外力によって弾性変形する。
【００３６】
操作部５７は、支持部５６の先端に設けられている。図２に示すように、操作部５７とセンサカバー５８とは、開口部１７に嵌り込んでおり、筐体１０の外部に露出している。操作部５７が押されると、支持部５６が弾性変形することで操作部５７が変位する。
【００３７】
図４に示すように、操作部５７に対向するようにスイッチ基板６５がデバイス支持部材３１に取り付けられている。押された操作部５７が変位すると、操作部５７の突起５７ａが、スイッチ基板６５に実装されたスイッチ６５ａを操作する。
【００３８】
図７に示すように、センサカバー５８は、基部５５から延出して、一対の操作部５７の間に設けられている。センサカバー５８に、スリット５８ａが設けられている。センサカバー５８は、指紋読取部２２を覆っている。指紋読取部２２は、スリット５８ａから外部に露出される。
【００３９】
リブ６２は、基部５５の縁部５５ａに設けられている。縁部５５ａは、支持部５６の反対方向に位置する。リブ６２は、取付部材４１の凹部５２に対応した位置に配置される。リブ６２は、基部５５から突出部６１と同一方向に向かって突出している。
【００４０】
リブ６２は、突出部６１が溶かされる前において、突出部６１が第２の面４７の方向から取付部材４１の挿通孔５１に挿入された場合、取付部材４１の凹部５２に嵌る。リブ６２は、突出部６１が第１の面４６の方向から挿通孔５１に挿入された場合、取付部材４１に干渉する。言い換えると、取付部材４１の凹部５２は、突出部６１が第２の面４７の方向から取付部材４１の挿通孔５１に挿入された場合にのみリブ６２と嵌り合う。
【００４１】
ボタン部材２１は、第２の面４７の方向から取付部材４１に取り付けられるように形成されている。ボタン部材２１が第１の面４６から取付部材４１に取り付けられようとした場合、リブ６２が取付部材４１に干渉する。このため、ボタン部材２１の取付ミスが防がれる。
【００４２】
図７に示すように、取付部材４１に緩衝材６８が固定されている。緩衝材６８は、例えば両面テープによって、取付部材４１の補強部４８に貼り付けられる。緩衝材６８として、例えば合成ゴム、不織布、もしくはスポンジなどが用いられる。
【００４３】
緩衝材６８は、取付部材４１と支持部５６との間に挟まれる。操作部５７が押されて変位している場合、操作部５７に加えられていた外力が解放されると、弾性変形した支持部５６は元の位置に戻る。この際に、緩衝材６８は支持部５６を受け止める。
【００４４】
前記構成のポータブルコンピュータ１によれば、取付部材４１がタッチパッドデバイス３２およびデバイス取付部３５の一部を覆って、上部カバー１１に固定される。ボタン部材２１の基部５５は、タッチパッドデバイス３２に重ねられた取付部材４１に固定される。これにより、開口部１７の近傍において筐体１０にボタン部材２１の基部５５を固定するスペースが不要になり、ポータブルコンピュータ１を小型化することができる。
【００４５】
取付部材４１は、金属材料によって形成されている。このため、タッチパッドデバイス３２に重ねられる取付部材４１を薄くし、ポータブルコンピュータ１を薄型化することができる。なお、取付部材４１の材料は、十分な剛性を有しているものであれば金属に限らない。
【００４６】
取付部材４１は、取り外し可能に上部カバー１１に固定される。このため、取付部材４１を上部カバー１１に取り付ける順序を柔軟に設定することができる。例えば、デバイス取付部３５を覆って取付部材４１が配置されていても、デバイス取付部３５の貼付面３６にタッチパッドデバイス３２を取り付けることができる。さらに、ボタンユニット４０が破損したとしても、取付部材４１を上部カバー１１から取り外してボタンユニット４０を交換することができる。
【００４７】
次に、本発明の第２の実施の形態について、図８を参照して説明する。このとき、第１の実施形態のポータブルコンピュータ１と同一の機能を有する構成部分には同一の参照符号を付してその説明を省略する。
【００４８】
図８は、第２の実施の形態に係るポータブルコンピュータ１の一部を示す断面図である。図８に示すように、デバイス取付面３５に、凹面１６と貼付面３６との間に亘る部品挿通孔７１が設けられる。
【００４９】
タッチパッドデバイス３２は、外面１１ａの方向からデバイス取付部３５の凹面１６に取り付けられる。タッチパッドデバイス３２は、例えば両面テープによって凹面１６に貼り付けられる。
【００５０】
タッチパッドデバイス３２は、複数の電子部品７２を有している。電子部品７２は、例えばコネクタのような種々の部品である。電子部品７２は、凹面１６に開口する部品挿通孔７１に挿入される。
【００５１】
外面１１ａの方向からタッチパッドデバイス３２にシート７３が貼り付けられる。シート７３は、タッチパッドデバイス３２を覆っており、滑りやすい表面を有している。タッチパッドデバイス３２は、シート７３上の指の動きを感知する。
【００５２】
前記構成のポータブルコンピュータ１によれば、タッチパッドデバイス３２は、外面１１ａの方向からデバイス取付部３５に取り付けられる。このようにタッチパッドデバイス３２が筐体１０の外部に露出する凹面１６に取り付けられる場合であっても、第１の実施の形態と同じ取付部材４１を用いることができる。
【００５３】
次に、本発明の第３の実施の形態について、図９および図１０を参照して説明する。このとき、第１の実施形態のポータブルコンピュータ１と同一の機能を有する構成部分には同一の参照符号を付してその説明を省略する。
【００５４】
図９は、第３の実施の形態に係るポータブルコンピュータ１のデバイス取付部３５の近辺を拡大して示す平面図である。図９に示すように、開口部１７から、ボタン部材７５が露出している。
【００５５】
図１０は、筐体１０の内側からデバイス取付部３５の近辺を示す斜視図である。図１０に示すように、ボタン部材７５は、基部５５と、複数の支持部５６と、一対の操作部５７とを有している。ボタン部材７５に、突出部６１と、リブ６２とが設けられている。ボタン部材７５は、センサカバー５８を有しない点で第１の実施の形態のボタン部材２１と異なっている。
【００５６】
前記構成のボタン部材７５であっても、第１の実施の形態のボタン部材２１と同じように取付部材４１に取り付けることができる。
【００５７】
なお、本発明は上記実施の形態に特定されるものではなく、発明の趣旨を逸脱しない範囲内で種々変更して実施可能である。例えば、ポインティングデバイスは、タッチパッドに限らない。例えば、ポインティングデバイスとしてタッチパネルを用いても良い。さらに、取付部材と支持部と操作部とが一体に形成されていても良い。
【００５８】
以下に、原出願である特願２０１０−０９１５５２の出願当初の特許請求の範囲の内容を付記する。
【００５９】
[１]外部に露出する外面と、前記外面の反対方向に位置した内面とを有し、前記外面から前記内面に亘る開口部が設けられた筐体と、
前記筐体に前記開口部と並んで設けられたデバイス取付部と、
前記内面の方向から前記デバイス取付部に取り付けられたポインティングデバイスと、
前記内面の方向から前記筐体に取り外し可能に固定されるとともに、前記内面の方向から前記ポインティングデバイスの一部を覆った取付部材と、
前記取付部材に取り付けられたボタン部材と、
を具備し、
前記ボタン部材は、
前記取付部材に固定された基部と、
前記基部から前記開口部に向かって延びた可撓性を有する支持部と、
前記支持部の先端に設けられ、前記開口部に嵌り込むことで前記筐体の外部に露出した操作部と、
を備えたことを特徴とする電子機器。
【００６０】
[２]前記基部は、前記ポインティングデバイスと重なる位置で前記取付部材に固定されたことを特徴とする[１]に記載の電子機器。
【００６１】
[３]前記取付部材は、金属によって形成されたことを特徴とする[２]に記載の電子機器。
【００６２】
[４]前記取付部材に固定された緩衝材をさらに具備し、
前記ボタン部材の支持部は、前記取付部材の一部と重なり合うとともに、前記取付部材との間に前記緩衝材を挟んだことを特徴とする[２]に記載の電子機器。
【００６３】
[５]前記取付部材は、前記ポインティングデバイスと対向した第１の面と、前記第１の面の反対方向に位置した第２の面と、前記第２の面から突出した補強部と、を有するとともに、前記デバイス取付部の一方の端部から他方の端部に亘って前記デバイス取付部の一部を覆うように延び、
前記補強部は、前記取付部材が延びた方向に向かって延びたことを特徴とする[２]に記載の電子機器。
【００６４】
[６]前記取付部材に、挿通孔と、第１の誤装着防止部とが設けられ、
前記ボタン部材の前記基部に、前記挿通孔に挿入される突出部と、第２の誤装着防止部とが設けられ、
前記第１の誤装着防止部は、前記突出部が前記第２の面の方向から前記挿通孔に挿入された場合にのみ前記第２の誤装着防止部と嵌り合うことを特徴とする[５]に記載の電子機器。
【００６５】
[７]外部に露出する外面と、前記外面の反対方向に位置する内面とを有し、前記外面から前記内面に亘る開口部が設けられた筐体と、
前記筐体に前記開口部と並んで設けられ、ポインティングデバイスが取り付けられるデバイス取付部と、
前記内面の方向から前記筐体に取り外し可能に固定されるとともに、前記内面の方向から前記デバイス取付部の一部を覆った取付部材と、
前記取付部材から前記開口部に向かって延びた可撓性の支持部と、
前記支持部の先端に設けられ、前記開口部に嵌り込むことで前記筐体の外部に露出した操作部と、
を具備したことを特徴とする電子機器。
【００６６】
[８]前記支持部と前記操作部とを含むボタン部材をさらに具備し、
前記ボタン部材は、前記取付部材に固定された基部を有し、
前記支持部は前記基部から前記開口部に向かって延びたことを特徴とする[７]に記載の電子機器。
【００６７】
[９]前記ポインティングデバイスは、前記内面の方向から前記デバイス取付部に取り付けられ、前記デバイス取付部と前記取付部材との間に挟まれたことを特徴とする[７]に記載の電子機器。
【００６８】
[１０]前記ポインティングデバイスは、前記外面の方向から前記デバイス取付部に取り付けられたことを特徴とする[７]に記載の電子機器。
【符号の説明】
【００６９】
１…ポータブルコンピュータ，１０…筐体，１１ａ…外面，１１ｂ…内面，１７…開口部，２１…ボタン部材，３２…タッチパッドデバイス，３５…デバイス取付部，４１…取付部材，５５…基部，５６…支持部，５７…操作部。
【図１】
2011238295.tif 000003
【図２】
2011238295.tif 000004
【図３】
2011238295.tif 000005
【図４】
2011238295.tif 000006
【図５】
2011238295.tif 000007
【図６】
2011238295.tif 000008
【図７】
2011238295.tif 000009
【図８】
2011238295.tif 000010
【図９】
2011238295.tif 000011
【図１０】
2011238295.tif 000012